(57)【要約】【課題】  従来のエレベータの釣り合いおもり用緩衝装置では、釣り合いおもりの下端と緩衝装置の上端との間のクリアランスを微調整できなかった。【解決手段】  昇降路内を昇降する釣り合いおもり１の鉛直下方にコイルスプリング状の緩衝部材４が垂直に設置されている。この緩衝部材４の上部にはクリアランス調整器５が取り付けられている。クリアランス調整器５は、緩衝部材４に垂直かつ軸方向に移動可能に挿入され上部が緩衝部材４から突出した円筒状のストッパ６と、このストッパ６の外周部に軸方向に移動可能に取り付けられ緩衝部材４の上端に当接してストッパ６を緩衝部材４に対して軸方向に位置決めする位置決め用部材７とを含む。【選択図】      図１
2005306525.tif 000002
【特許請求の範囲】
【請求項１】
昇降路内を昇降する釣り合いおもりの鉛直下方に垂直に設置されたコイルスプリング状の緩衝部材と、この緩衝部材の上部に取り付けられたクリアランス調整器とを備え、このクリアランス調整器は、前記緩衝部材に垂直かつ軸方向に移動可能に挿入され上部が前記緩衝部材から突出した筒状又は棒状のストッパと、このストッパの外周部に軸方向に移動可能に取り付けられ前記緩衝部材の上端に当接して前記ストッパを前記緩衝部材に対して軸方向に位置決めする位置決め用部材と、を含むことを特徴とするエレベータの釣り合いおもり用緩衝装置。
【請求項２】
前記位置決め用部材が前記ストッパの外周部に螺着され、前記位置決め用部材を回転させることにより前記位置決め用部材が前記ストッパに対して移動するようにしたことを特徴とする請求項１記載のエレベータの釣り合いおもり用緩衝装置。
【請求項３】
前記位置決め用部材の上方において前記ストッパの外周部に螺着され、前記位置決め用部材が前記ストッパの軸方向に移動するのを阻止するロック用部材を備えたことを特徴とする請求項２記載のエレベータの釣り合いおもり用緩衝装置。
【請求項４】
前記クリアランス調整器が、前記位置決め用部材の上方において前記ストッパの外周部に固定された支持部材と、この支持部材に対して回転自在かつ軸部が垂直下方に突出するように取り付けられ、前記位置決め用部材に螺着されたボルトとを備え、前記ボルトを回転させることにより前記位置決め用部材が前記ストッパに対して移動するようにしたことを特徴とする請求項１記載のエレベータの釣り合いおもり用緩衝装置。
【発明の詳細な説明】
【技術分野】
【０００１】
本発明は、ロープ式エレベータの釣り合いおもりの鉛直下方に設置される釣り合いおもり用緩衝装置に関する。
【背景技術】
【０００２】
図５は、従来のこの種の釣り合いおもり用緩衝装置が設置されたエレベータの要部断面図、図６は図５の要部拡大図である。
【０００３】
図５において、１０１は釣り合いおもりで、昇降路に立設された一対のガイドレール１０２に沿って昇降する。その鉛直下方には釣り合いおもり１０１用の緩衝装置１０３が設置されている。
【０００４】
この緩衝装置１０３は、ピット床上に垂直に設置されたコイルスプリング状の緩衝部材１０４と、この緩衝部材１０４の上部に取り付けられたクリアランス調整器１０５とを備えている。
【０００５】
図６に示すように、クリアランス調整器１０５は、緩衝部材１０４に垂直かつ軸方向に移動可能に挿入され上部が緩衝部材１０４から突出した円筒状のストッパ１０６と、このストッパ１０６の外周部に溶接により水平に固定され緩衝部材１０４の上端に当接してストッパ１０６を緩衝部材１０４に対して軸方向に位置決めする板状の位置決め用部材１０７とを含む。
【０００６】
釣り合いおもり１０１が下降して下端がストッパ１０６の上端に衝突すると、位置決め用部材１０７が緩衝部材１０４を圧縮する。これにより、釣り合いおもり１０１に上向きの力が作用し、釣り合いおもり１０１が緩衝されつつ停止する。
【０００７】
釣り合いおもり１０１の下端と緩衝装置１０３の上端との間のクリアランスａは、位置決め用部材１０７のストッパ１０６に対する位置により決定される。
【０００８】
上記従来のものでは、位置決め用部材１０７がストッパ１０６に溶接により固定されているため、クリアランスａの調整は、ストッパ１０６の上端を上向きにするか下向きにするかの二通りでしか行えなかった。
【０００９】
そのため、エレベータが設置される建屋の寸法誤差、あるいは釣り合いおもり１０１を吊り下げているロープの伸び等によるクリアランスａの微調整を行うことができなかった。
【発明の開示】
【発明が解決しようとする課題】
【００１０】
解決しようとする問題点は、従来のエレベータの釣り合いおもり用緩衝装置では、釣り合いおもりの下端と緩衝装置の上端との間のクリアランスを微調整できなかった点である。
【課題を解決するための手段】
【００１１】
上記問題点を解決するために、本発明のエレベータの釣り合いおもり用緩衝装置は、昇降路内を昇降する釣り合いおもりの鉛直下方に垂直に設置されたコイルスプリング状の緩衝部材と、この緩衝部材の上部に取り付けられたクリアランス調整器とを備え、このクリアランス調整器は、前記緩衝部材に垂直かつ軸方向に移動可能に挿入され上部が前記緩衝部材から突出したストッパと、このストッパの外周部に軸方向に移動可能に取り付けられ前記緩衝部材の上端に当接して前記ストッパを前記緩衝部材に対して軸方向に位置決めする位置決め用部材と、を含むことを特徴としている。
【発明の効果】
【００１２】
本発明によれば、位置決め用部材をストッパの軸方向に移動させて位置決め用部材のストッパに対する位置を調整することにより、釣り合いおもりの下端とストッパの上端との間のクリアランスを微調整することができる。
【発明を実施するための最良の形態】
【００１３】
以下、本発明の一実施形態を図面に基づいて説明する。図１は本発明の第１実施形態の釣り合いおもり用緩衝装置が設置されたエレベータの要部断面図、図２は図１の要部拡大図である。
【００１４】
図１において、１は釣り合いおもりで、昇降路に立設された一対のガイドレール２に沿って昇降する。その鉛直下方には釣り合いおもり１用の緩衝装置３が設置されている。
【００１５】
この緩衝装置３は、ピット床上に垂直に設置されたコイルスプリング状の緩衝部材４と、この緩衝部材４の上部に取り付けられたクリアランス調整器５とを備えている。
【００１６】
図２に示すように、クリアランス調整器５は、緩衝部材４に垂直かつ軸方向に移動可能に挿入され上部が緩衝部材４から突出した円筒状のストッパ６と、このストッパ６の外周部に水平に取り付けられ緩衝部材４の上端に当接してストッパ６を緩衝部材４に対して軸方向に位置決めする板状の位置決め用部材７とを含む。
【００１７】
釣り合いおもり１が下降して下端がストッパ６の上端に衝突すると、位置決め用部材７が緩衝部材４を圧縮する。これにより、釣り合いおもり１に上向きの力が作用し、釣り合いおもり１が緩衝されつつ停止する。
【００１８】
釣り合いおもり１の下端と緩衝装置３の上端との間のクリアランスａは、位置決め用部材７のストッパ６に対する位置により決定される。
【００１９】
本実施形態では、ストッパ６の外周部にネジ山が形成され、位置決め用部材７におけるストッパ６を貫通させる貫通孔７ａの内周部には前記ネジ山に螺合するネジ溝が形成されている。このように構成したことで、位置決め用部材７を回転させることにより位置決め用部材７がストッパ６に対して移動する。
【００２０】
このような構成によれば、位置決め用部材７をストッパ６の軸方向に移動させて位置決め用部材７のストッパ６に対する位置を調整することにより、釣り合いおもり１の下端とストッパ６の上端との間のクリアランスａを微調整することができる。
【００２１】
次に、本発明の第２実施形態を説明する。図３は本発明の第２実施形態の要部拡大図である。なお、以下の各実施形態において、第１実施形態と同一又は類似の部分には同一符号を付してあり、重複する説明は省略してある。
【００２２】
本実施形態では、位置決め用部材７の上方において板状のロック用部材８が設けられている。このロック用部材８はストッパ６を貫通させる貫通孔８ａを有していて、その内周面にはネジ溝が形成されており、ストッパ６の外周部のネジ山に螺合している。
【００２３】
このロック用部材８は位置決め用部材７と共にダブルナットを構成し、位置決め用部材７が回転してストッパ６の軸方向上方に移動するのを阻止する。したがって、一度設定したクリアランスａが変動するのを防ぐことができるものである。
【００２４】
次に、本発明の第３実施形態を説明する。図４は本発明の第３実施形態の要部拡大図である。
【００２５】
本実施形態では、クリアランス調整器５が、位置決め用部材７の上方においてストッパ６の外周部に固定された板状の支持部材９と、この支持部材９の両端に軸部１０ａが垂直下方に突出するように取り付けられたボルト１０とを備えている。
【００２６】
支持部材９はストッパ６を貫通させる貫通孔９ａを有し、ストッパ６はこの貫通孔９ａを貫通して上方に突出し、外周部が溶接により支持部材９に固定されている。
【００２７】
各ボルト１０は、支持部材９に設けられた貫通孔９ｂを上方から貫通し、支持部材９に軸線まわりに回転自在に支持されている。
【００２８】
位置決め用部材７における各貫通孔９ｂに対向する箇所には貫通孔７ｂが設けられ、その内周面にはネジ溝が形成されており、ボルト１０の軸部１０ａの下端が螺合している。また、位置決め用部材７の貫通孔７ａはストッパ６を軸方向に移動自在に貫通させるバカ孔となっている。
【００２９】
このような構成によれば、各ボルト１０を回転させることにより位置決め用部材７がストッパ６に対して移動するため、クリアランスａを微調整することができる。
【００３０】
なお、上記実施形態では、ストッパが筒状であるが、ストッパは棒状であってもよい。その他にも、本発明の要旨を逸脱しない範囲で上記実施形態に種々の変形を施すことができる。
【図面の簡単な説明】
【００３１】
【図１】本発明の第１実施形態の釣り合いおもり用緩衝装置が設置されたエレベータの要部断面図。
【図２】図１の要部拡大図。
【図３】第２実施形態の要部拡大図。
【図４】第３実施形態の要部拡大図。
【図５】従来の釣り合いおもり用緩衝装置が設置されたエレベータの要部断面図。
【図６】図５の要部拡大図。
【符号の説明】
【００３２】
１    釣り合いおもり
３    緩衝装置
４    緩衝部材
５    クリアランス調整器
６    ストッパ
７    位置決め用部材
８    ロック用部材
９    支持部材
１０    ボルト
【図１】
2005306525.tif 000003
【図２】
2005306525.tif 000004
【図３】
2005306525.tif 000005
【図４】
2005306525.tif 000006
【図５】
2005306525.tif 000007
【図６】
2005306525.tif 000008